(57)【特許請求の範囲】
【請求項１】
上部開口を開閉する蓋体を有する槽本体と、該槽本体内に設けた一側隔壁及び他側隔壁によって一対の格納室の間に画成した融雪室と、該融雪室に連通して前記槽本体に設けた排水口と、前記一対の隔壁に軸方向両端側を支持させて前記融雪室に配設した回転融雪筒と、該回転融雪筒に軸方向に離間して径方向に貫通させて配設した両端が開口した中空管からなる複数の撹拌融雪管と、前記一側格納室に配置し、前記回転融雪筒内に高熱流体を吹込む熱源と、前記他側格納室内に配置し、前記回転融雪筒を回転駆動する駆動源とから構成してなる埋設型融雪装置。
【請求項２】
前記融雪室の壁面上端側に沿って前記槽本体に固定散水パイプを配設し、該固定散水パイプに該槽本体に設けた送水ポンプにより融雪水を循環供給するようにしたことを特徴とする請求項１記載の埋設型融雪装置。
【請求項３】
前記融雪室には、略冂字状の可動散水パイプを該融雪室の上方を横断する状態で前記槽本体に昇降可能に設け、該可動散水パイプに該槽本体に設けた送水ポンプにより融雪水を循環供給するようにしたことを特徴とする請求項１記載の埋設型融雪装置。
【請求項４】
前記撹拌融雪管には、軸方向に摺動可能かつ径方向に回動可能に外嵌した可動筒と、該可動筒に径方向に突設した撹拌翼とから構成した撹拌体を設けてあることを特徴とする請求項１記載の埋設型融雪装置。
【請求項５】
前記撹拌体は、前記撹拌翼を網状板又は多孔板で形成してあることを特徴とする請求項４記載の埋設型融雪装置。
【請求項６】
前記他側格納室に、温水生成用の熱交換器を配置してあることを特徴とする請求項１記載の融雪装置。
【請求項７】
前記融雪室は、異物回収材を底面に嵌脱可能に配設した構成にしてあることを特徴とする請求項１記載の埋設型融雪装置。
【請求項８】
上部開口を開閉する蓋体を有する槽本体を地表から地中に埋設し、該槽本体内に一側隔壁及び他側隔壁を配設して形成した一対の格納室の間に排水口を有する融雪室を画成し、前記一側隔壁及び他側隔壁間に軸方向両端側を架設し、前記一の格納室に配置した駆動源により回転駆動する回転融雪筒を該融雪室に設け、両端が開口した中空管からなる複数の撹拌融雪管を該回転融雪筒に軸方向に離間して径方向に貫通して設け、前記他の格納室に配置した熱源により前記回転融雪筒内に高熱流体を吹込むことにより、該回転融雪筒及び撹拌融雪管を加熱して融雪するようにした融雪方法。
【発明の詳細な説明】
【技術分野】
【０００１】
本発明は、降雪地において除雪した雪を効率的に融解するために地中に埋設して用いる埋設型融雪装置及び融雪方法に関する。
【背景技術】
【０００２】
融雪装置における融雪方法には、温水槽方式、温水シャワー方式、ドラム加熱方式等があり、夫々に効果を奏しているが、この種の装置においては操作性、低燃費性及び融雪作業時間の短縮化が重要な課題になっている。
【０００３】
例えば、上方から雪を投入する融雪槽１内に配設した燃焼ドラム５にバーナー４から火炎を送り込み、燃焼ドラム５の上方に配置した複数本の第一伝熱管６に熱を送り込み、第一伝熱管６から熱を第二伝熱管７に送り込むことで融雪し、ブロアー１４から熱風を吹付けて撹拌するようにした融雪装置が提案されている（特許文献１）。
【０００４】
また、排水口８を有する貯水部２の全面に適宜密度に連結した発熱管３を並設し、発熱管３の一端部に燃焼装置を連結して燃焼ガスを噴射し、発熱管３の上側に沿って適宜間隔を置いて上方への噴水機構５を設けた導水管１７を配設し、貯水部２の一側にはシャワー機構７を配設して構成した融雪装置が提案されている（特許文献２）。
【先行技術文献】
【特許文献】
【０００５】
【特許文献１】特開平８−１８４０１８号公報
【特許文献２】特開平９−３８４４号公報
【発明の概要】
【発明が解決しようとする課題】
【０００６】
上述した特許文献１の融雪装置は、雪投入口３の下方に複数本の第二伝熱管７を水平に列設してあり、投入した雪塊が順次解けて落下していかないと雪が山状に堆積して内部が融解したブリッジ状態になり、上からスコップ等で崩さないと融雪作業が円滑に進まないという問題がある。
また、特許文献２の融雪装置は、雪が投入される貯水部２の上部側に複数本の発熱管３を並列し、交差状に複数本の管部材３ｄを配設した構成であるため、投入した雪塊が貯水槽２内に円滑に落下できずに融雪作業に時間が掛かるという問題、装置の構成が複雑で価格が嵩むという問題、融雪作業が面倒であるという問題もある。
【０００７】
また、コンビニエンスストア、飲食店等の駐車場では、排雪を堆積しておくスペースを確保することが難しいことから、排雪したら速やかに融雪を行う必要があり、高い融雪能力が求められる。しかし、従来の融雪装置はその殆どが住宅や会社専用の駐車場における排雪の融解を対象としており、大量の雪を短時間で融雪するという切実な要請に対応できないために、融雪作業に長時間を要するという問題がある。
【０００８】
本発明は上述した従来技術の欠点や問題点に鑑みなされたもので、投入した雪塊を加熱している回転融雪筒に接触させて融解し、また加熱している撹拌融雪管に融雪水を貫流させることで雪塊を速やかに破砕しながら融解し、かつ融雪水を撹拌するので融雪室内の融雪水の温度を略均等に保つことで短い作業時間で効率良く融雪することができるし、投入した雪塊が空洞を形成しないので上方から雪塊を崩す作業が不要で除雪作業に集中できる埋設型融雪装置及び融雪方法を提供することを目的とする。
【課題を解決するための手段】
【０００９】
（１）上述した課題を解決するために構成した請求項１に係る本発明の手段は、上部開口を開閉する蓋体を有する槽本体と、該槽本体内に設けた一側隔壁及び他側隔壁によって一対の格納室の間に画成した融雪室と、該融雪室に連通して前記槽本体に設けた排水口と、前記一対の隔壁に軸方向両端側を支持させて前記融雪室に配設した回転融雪筒と、該回転融雪筒に軸方向に離間して径方向に貫通させて配設した両端が開口した中空管からなる複数の撹拌融雪管と、前記一側格納室に配置し、前記回転融雪筒内に高熱流体を吹込む熱源と、前記他側格納室内に配置し、前記回転融雪筒を回転駆動する駆動源とからなる。
（２）そして、前記融雪室の壁面上端側に沿って前記槽本体に固定散水パイプを配設し、該固定散水パイプに該槽本体に設けた送水ポンプにより融雪水を循環供給するとよい。
（３）また、前記融雪室には、略冂字状の可動散水パイプを該融雪室の上方を横断する状態で前記槽本体に昇降可能に設け、該可動散水パイプに該槽本体に設けた送水ポンプにより融雪水を循環供給するようにするとよい。
（４）また、前記撹拌融雪管には、軸方向に摺動可能かつ径方向に回動可能に外嵌した可動筒と、該可動筒に径方向に突設した撹拌翼とから構成した撹拌体を設けるとよい。
（５）そして、前記撹拌体は、前記攪拌翼を網状板又は多孔板で形成するとよい。
（６）また、前記他側格納室に、温水生成用の熱交換器を配置するとよい。
（７）そして、前記融雪室は、異物回収材を底面に嵌脱可能に配設するとよい。
（８）また、請求項８に係る発明を構成する手段は、上部開口を開閉する蓋体を有する槽本体を地表から地中に埋設し、該槽本体内に一側隔壁及び他側隔壁を配設して形成した一対の格納室の間に排水口を有する融雪室を画成し、前記一側隔壁及び他側隔壁間に軸方向両端側を架設し、前記一の格納室に配置した駆動源により回転駆動する回転融雪筒を該融雪室に設け、両端が開口した中空管からなる複数の撹拌融雪管を該回転融雪筒に軸方向に離間して径方向に貫通して設け、前記他の格納室に配置した熱源により前記回転融雪筒内に高熱流体を吹込むことにより、該回転融雪筒及び撹拌融雪管を加熱して融雪する方法からなる。
【発明の効果】
【００１０】
本発明は上述の如く構成したから、下記の諸効果を奏する。
（１）融雪室に投入した雪塊は、高熱流体で加熱されている回転融雪筒に接して融解され、また回転融雪筒から突出する複数本の撹拌融雪管が回転しながら雪塊を破砕し、融雪水を撹拌するので、投入した雪塊にブリッジ状の空洞が形成されることもなく、短時間で効率良く融雪することができるし、融雪作業の負担も軽減することができる。
（２）回転融雪筒に貫通して設けた複数本の撹拌融雪管は、回転することで雪塊を破砕し、また撹拌融雪管に流出入する融雪水は高熱流体で加熱するから高い融雪効率を実現できる。
（３）融雪室には固定散水パイプと可動散水パイプを配設し、融雪室内に全面的に融雪水を散水するようにしたから、融雪室内で略均等に融雪することができるし、融雪効率を高めることができる。
（４）撹拌融雪管に摺動可能、回動可能に設けた撹拌体は軸方向、周方向にランダムに動くことで、雪塊を確実にかつ効率的に破砕し、また融雪水の温度を均等化するので融雪効率を上げることができる。
（５）回転融雪筒から高熱流体が放出される格納室に温水生成用の熱交換器を配置したから、排熱の有効利用を図ることができる。
（６）融雪室の底面に異物回収材を嵌脱可能に配設する構成にしたから、排雪に混入している異物を確実に除去して固定散水パイプ、可動散水パイプ及び送水ポンプの詰り現象を防止できるし、取外して洗浄することもできる。
【図面の簡単な説明】
【００１１】
【図１】本発明の実施の形態に係る埋設型融雪装置の外観斜視図である。
【図２】埋設型融雪装置の内部構成を示す平面図である。
【図３】図２中のＩＩＩ−ＩＩＩ矢示方向断面図である。
【図４】回転融雪筒と攪拌融雪管の部分拡大断面図である。
【発明を実施するための形態】
【００１２】
以下、本発明の実施の形態を図面に基づき詳述する。図１において、１は地表から地中に埋設する埋設型融雪装置を示す。２は該埋設型融雪装置１を構成する例えば繊維強化プラスチック製の槽本体で、該槽本体２は底板２Ａ、前側板２Ｂ、後側板２Ｃ及び左右の側板２Ｄ、２Ｅによって上方が開放した横長方形の箱状に形成してある。そして、槽本体２内は一対の隔壁３及び４によって一側格納室５、融雪室６及び他側格納室７が画成してあり、槽本体２の上部開口は矢示イ、ロ方向に開閉可能な２分割の蓋板８Ａ、８Ａからなる蓋体８によって開閉可能になっている。
【００１３】
９は前記前側板２Ｂの上部側に突設した給水管で、該給水管９は融雪室６に外部から注水するためのものである。１０Ａ、１０Ｂ、１０Ｃは槽本体２の後側板２Ｃに３段階に高さを変えて設けたオーバーフロー管としての３個の排水管で、該３個の排水管１０Ａ、１０Ｂ、１０Ｃ（以下、場合により排水管１０と総称する。）の各々はスライドシャッター１０Ｄ（図示せず。）によって開閉可能に構成してあり、融雪室６の水位管理が出来るようにしてある。１１は後側板２Ｃの外面に設けた水受けトレーで、排水管１０から流出する融雪水を纏めて集合排水管１２から下水道に放出するようにしてある。
【００１４】
１３、１３、・・・は槽本体２の底板２Ａに立設した複数本の支柱で、該各支柱１３によって融雪室６の底面から離間して仕切板１４が敷設してあり、該仕切板１４と底板２Ａとの空間はポンプ室１５になっている。１６は融雪室６の仕切板１４上に嵌脱可能に配設した異物回収材を示す。該異物回収材１６は化学繊維を不織布状に編成した微多孔性の通水性マット１６Ａと、該通水性マット１６Ａ上に配置した金網１６Ｂとから構成してあり、融雪室６に投入される雪に混入している比較的大きな異物は金網１６Ｂで回収し、微細な塵は通水性マット１６Ａで回収するようにしてある。異物回収材１６は取外して洗浄することが可能にしてある。
【００１５】
１７は左右の隔壁３、４に設けた軸受１８、１８に軸方向両端側を架設することで融雪室６に矢示ハ方向に回転可能に横設した回転融雪筒を示す。該回転融雪筒１７は伝熱性を考慮してアルミニュム材により軸方向両端が開口した筒体に成形してあり、一側格納室５に位置する一側開口は燃焼ガス吹込み口１７Ａに、他側格納室７に位置する他側開口はガス放出口１７Ｂに、内側空洞はガス流路１７Ｃになっている。そして、各軸受１８、１８はシール材及びグリースによって液密に構成してあり、融雪室６内の融雪水が格納室５、７に漏洩しないようにしてある。
【００１６】
１９、１９、・・・は前記回転融雪筒１７に貫通して径方向に突設した複数本の撹拌融雪管を示し、該各撹拌融雪管１９は軸方向両端の開口が流出入口１９Ａ、１９Ａになったアルミニュム製又は銅製の中空管に形成してある。そして、複数の撹拌融雪管１９、１９、・・・は回転融雪筒１７の軸方向及び周方向に離間して配設してあり、回転融雪筒１７と一体に回転することにより、投入された雪塊を確実に破砕し、かつ効率良く融雪できるようにしてある。
【００１７】
ここで、両端の開口が流出入口１９Ａ、１９Ａになった撹拌融雪管１９が回転融雪筒１７と一体に回転することにより、一方（他方）の流出入口１９Ａから管内に融雪水が流入して他方（一方）の流出入口１９Ａに向けて流動する。そして、融雪水は回転融雪筒１７のガス流路１７Ｃで高熱ガスにより加熱されている管内を流動する間に加熱されて融雪室６内に放出され、順次投入される雪塊を融解し、また融雪室６内の融雪水の温度を均一化することで融雪を早めている。
なお、各攪拌融雪管１９の下端側と回転融雪筒１７にかけて十字の位置に略三角形板からなる補強リブ２０、２０、・・が固着してあり、撹拌融雪管１９が回転しながら雪塊を崩すための強度性を持たせてある。
【００１８】
２１は各撹拌融雪管１９に軸方向に摺動可能かつ周方向に回動可能に外嵌した撹拌体を示す。該撹拌体２１は、図４に示すように、撹拌融雪管１９に嵌合する金属製の可動筒２１Ａと、該可動筒２１Ａの外周面に周方向に離間して径方向に突設した複数の撹拌翼２１Ｂ、２１Ｂ、・・と、撹拌融雪管１９の基端側と先端側に嵌着した一対のストッパー２１Ｃ、２１Ｃとから構成してあり、各撹拌翼２１Ｂは網状板や多孔板で構成してある。
【００１９】
撹拌体２１は、撹拌融雪管１９に摺動自在かつ回動自在に嵌合することにより、撹拌融雪管１９が回転するのに伴ってランダムに矢示ニ、ホ方向の軸方向に摺動しながら矢示ヘ、ト方向に回動することで融雪水を撹拌し、融雪室６内の水温を略均等にすることで融雪効率を上げている。また、撹拌翼２１Ｂは網状板や多孔板で構成することで、回転時の水の抵抗を可及的に小さくして撹拌融雪管１９や後述する駆動モータ２４に掛る負荷を低減している。
【００２０】
２２は一側格納室５に設置し、回転融雪筒１７内に燃焼ガスを吹込むためのバーナーを示す。該バーナー２２はノズル２２Ａ（図示せず。）をガス吹込み口１７Ａに向けて設置してあり、バーナー２２から回転融雪筒１７に高熱の燃焼ガスを吹込んで回転融雪筒１７を加熱することにより、外面に接触する雪塊を融解し、融雪室６内の融雪水を加温する。また、回転融雪筒１７を貫通している撹拌融雪管１９もガス流路１７Ｃで燃焼ガスにより加熱されることで、撹拌融雪管１９全体が加熱されて融雪水を加温し、管内を流動している融雪水も加温するので高い融雪効率が得られる。
【００２１】
２３は他側格納室７内に回転融雪筒１７と対向して配設した熱交換型温水器を示す。該熱交換型温水器２３は回転融雪筒１７のガス放出口１７Ｂから放出される燃焼ガスによって加熱されることで温水を生成する。生成した温水は、厨房、洗車等種々の用途に使用することで排熱の有効利用を図っている。
【００２２】
２４は他側格納室７に設置した駆動モータで、該駆動モータ２４は伝達歯車２４Ａを介して回転融雪筒１７に嵌着してある駆動ギア２４Ｂを回転駆動し、回転融雪筒１７を毎分１５〜２５回といった比較的遅い回転数で回転するようにしてある。なお、駆動モータ２４は、他側格納室７に設けた遮熱板７Ａによって燃焼ガスの高温から保護してある。
【００２３】
２５は融雪室６の内面に沿って上端側に設けた合成樹脂製の固定散水パイプを示す。該固定散水パイプ２５は配管作業の容易性を考慮して略Ｌ字型に形成した２本のパイプ材２５Ａ、２５Ａを枠状に連結して取付ブラケット２６により槽本体２と隔壁３、４に鋲着してあり、該各パイプ材２５Ａには多数の細孔からなる噴出孔２５Ｂ、２５Ｂ、・・・が軸方向に沿って列設してある。２７はポンプ室１５に格納した送水ポンプを示す。該送水ポンプ２７は吸引管２７Ａを仕切板１４に開口させて融雪室６に連通させてあり、また送水管２７Ｂを介して各パイプ材２５Ａと連結してある。
【００２４】
２８、２８は融雪室６の上方を横断するように槽本体２に、矢示チ、リ方向に昇降可能に設けた左右一対の可動散水パイプを示す。該各可動散水パイプ２８は縦管部２８Ａ、２８Ａと、該縦管部２８Ａ、２８Ａの上端に連結した横管部２８Ｂとから略冂字状に形成してあり、横管部２８Ｂには融雪室６に向けて軸方向に複数の噴出孔２８Ｃが形成してある。そして、可動散水パイプ２８は融雪室６の内壁面にΩ字状金具２９によって摺動可能に支持してあり、一方の縦管部２８Ａの下端には送水ポンプ２７に繋がる伸縮性と可撓性のある給水パイプ３０が接続してある。
【００２５】
本実施の形態は上述の構成からなるもので、次にその作用について説明する。埋設型融雪装置１は、例えば飲食店やコンビニエンスストアでは除雪した雪の融雪作業を行い易いように駐車場の脇に埋設して設置する。常時は、蓋体８によって槽本体２の上部開口を閉塞して事故の発生を防止している。
融雪作業時は、蓋体８を開いてバーナー２２と駆動モータ２４を始動して回転融雪筒１７を回転させながら熱風を送り込む。また、可動散水パイプ２８、２８を矢示チ方向に引き上げた状態にして雪を投入し易くすると共に、融雪室６に噴射する温水の噴射範囲を広げる。しかる後、送水ポンプ２７を始動し、固定散水パイプ２５と可動散水パイプ２８から温水を噴射しながら、除雪により集積した雪塊を融雪室６に投入する。雪塊は回転融雪筒１７に接触して融解し、燃焼ガスで加熱された撹拌融雪管１９によって破砕されながら融雪される。
【００２６】
しかも、撹拌融雪管１９は融雪水を単にハ方向の一方向の回転により撹拌するだけでなく、両端の流出入口１９Ａ、１９Ａの一方から流入する融雪水を加熱されている管内を流動させて他方から融雪室６に流出させることで、融雪水の加熱、撹拌、温度の均等化を同時に行っている。
また、撹拌融雪管１９の回転に伴って撹拌体２１が矢示ニ、ホ方向に摺動し、かつ矢示ヘ、ト方向に回動するランダムな動きで、融雪室６内での融雪水を更に撹拌することで融雪を促進することができる。
これにより、融雪室６に雪、雪塊を大量に投入しても速やかに融雪することが可能であり、融雪作業を効率的に行うことができる。
【００２７】
融雪作業の進行に伴って融雪室６内には融雪水が次第に滞留して増加するので、高さの異なる３個の排水管１０Ａ、１０Ｂ、１０Ｃを選択し、スライドシャッター１０Ｄを開閉して融雪室６内の水量を適宜調整する。
【００２８】
回転融雪筒１７に吹き込んだ燃焼ガスは、ガス放出口１７Ｂから熱交換器２３に吹き付けることで温水を生成する。得られた温水は、例えば洗車、厨房の洗浄、洗濯等に利用することで省エネを図ることができる。
【００２９】
融雪室６の底に着脱自在に配設した異物回収材１６は、融解する雪には大小の様々なゴミが混入しているから、大きなゴミは金網１６Ｂで回収し、小さなゴミは通水性マット１６Ａで回収することにより、送水ポンプ２７がゴミで目詰まりする事態を防止している。なお、塵埃の溜まった異物回収材１６は融雪室６から取り出して洗浄し、再利用できるように着脱自在にしてある。
【符号の説明】
【００３０】
１        埋設型融雪装置
２        槽本体
３、４    隔壁
５、７    格納室
６        融雪室
８        蓋体
１０      排水管
１６      異物回収材
１７      回転融雪筒
１９      攪拌融雪管
２１      撹拌体
２２      バーナー（熱源）
２４      駆動モータ（駆動源）
２３      熱交換器
２５      固定散水パイプ
２７      送水ポンプ
２８      可動散水パイプ
【要約】      （修正有）【課題】雪塊を加熱状態の回転融雪筒により融解し、また加熱状態の撹拌融雪管に融雪水を貫流させて雪塊を破砕しながら融解し、短時間で効率良く融雪することができる埋設型融雪装置及び融雪方法を提供する。【解決手段】槽本体２内は、隔壁３、４によって一対の格納室５、７の間に融雪室６が画成してある。槽本体２には融雪室６に連通する給水管９、排水管１０Ａ〜１０Ｃが設けてあり、固定散水パイプ２５と可動散水パイプ２８、２８が設けてある。軸方向両端側を隔壁３、４に支持させて融雪室６に設けた回転融雪筒１７の一側開口から他側開口に向けて、一側格納室５に設置したバーナー２２が燃焼ガスを吹込む。回転融雪筒１７に径方向に貫通した状態で複数の撹拌融雪管１９が設けてあり、撹拌融雪管１９には撹拌体２１が軸方向に摺動かつ周方向に回動可能に嵌合してある。他側格納室７に回転融雪筒１７用の駆動モータ２４が配設してある。【選択図】図２【図１】
0006746836.tif 000002
【図２】
0006746836.tif 000003
【図３】
0006746836.tif 000004
【図４】
0006746836.tif 000005